(57)【要約】【課題】本発明はコントラストを向上させることができるようにしたプラズマディスプレーパネルを提供する。【解決手段】本発明のプラズマディスプレーパネルの駆動方法は多数のサブフィールドの中の最初の第１サブフィールドの以後に印加される第２サブフィールドのリセット期間の間に第１及び第２電極に同一な電圧値を有するリセットパルスを印加する。【選択図】  図９
2008112205.tif 000002
【特許請求の範囲】
【請求項１】
上部基板に複数の第１及び第２電極が形成され、下部基板上に第３電極が形成され、多数のサブフィールドで１フレームを形成するプラズマディスプレーパネルの駆動方法において；
前記多数のサブフィルドの中の最初の第１サブフィルドを用いて前記パネルを駆動する段階；
前記第１サブフィルドの以後に印加される第２サブフィルドのリセット期間の間に前記第１電極及び第２電極に同一な電圧値を有するリセットパルスを印加する段階を含むことを特徴とするプラズマディスプレーパネルの駆動方法。
【請求項２】
サステイン期間に発生されたサステイン放電を消去するために前記第１電極及び第２電極の中の少なくとも一つ以上の電極に消去パルスが印加される段階を含むことを特徴とする請求項１記載のプラズマディスプレーパネルの駆動方法。
【請求項３】
前記第１電極に供給される第１リセットパルスは傾きを有して上昇する上昇期間、上昇された電圧を維持する維持期間及び傾きを有して下降する下降期間に分けられることを特徴とする請求項１記載のプラズマディスプレーパネルの駆動方法。
【請求項４】
前記第２電極に供給される第２リセットパルスは前記上昇期間にだけ供給されることを特徴とする請求項３記載のプラズマディスプレーパネルの駆動方法。
【請求項５】
前記第２電極に供給される第２リセットパルスは前記上昇期間の一部の期間に供給されることを特徴とする請求項３記載のプラズマディスプレーパネルの駆動方法。
【請求項６】
前記第２電極に供給される第２リセットパルスは前記上昇期間及び維持期間に供給されることを特徴とする請求項３記載のプラズマディスプレーパネルの駆動方法。
【請求項７】
前記第２電極に供給される第２リセットパルスは前記上昇期間及び維持期間の一部の期間に供給されることを特徴とする請求項３記載のプラズマディスプレーパネルの駆動方法。
【請求項８】
上部基板及び下部基板を備え、多数のサブフィルドが一フレームをなすプラズマディスプレーパネルにおいて、
前記上部基板に形成される第１電極と；
前記上部基板上で前記第１電極と並べて形成される第２電極と；
前記下部基板上で前記第１電極及び第２電極と交差して配列される第３電極とを備え；
前記パネルに前記多数のサブフィルドの中の最初の第１サブフィルドが印加された後、前記第１サブフィルド以後に印加される第２サブフィルドのリセット期間の間に、前記第１電極及び第２電極に同一な電圧値を有するリセットパルスが印加されることを特徴とするプラズマディスプレーパネル。
【請求項９】
前記第１電極に供給される第１リセットパルスは傾きを有して上昇する上昇期間、上昇された電圧を維持する維持期間及び傾きを有して下降する下降期間に分けられることを特徴とする請求項８記載のプラズマディスプレーパネル。
【請求項１０】
前記第２電極は前記上昇期間にのみフローティング状態にされることを特徴とする請求項９記載のプラズマディスプレーパネル。
【請求項１１】
前記第２電極は前記上昇期間の一部期間にフローティング状態にされることを特徴とする請求項９記載のプラズマディスプレーパネル。
【請求項１２】
前記第２電極は前記上昇期間及び維持期間にフローティング状態にされることを特徴とする請求項９記載のプラズマディスプレーパネル。
【請求項１３】
前記第２電極は前記上昇期間及び維持期間の一部期間にフローティング状態にされることを特徴とする請求項９記載のプラズマディスプレーパネル。
【発明の詳細な説明】
【技術分野】
【０００１】
本発明はプラズマディスプレーパネル及びその駆動方法に関するもので、特にコントラストを向上させることができるようにしたプラズマディスプレーパネル及びその駆動方法に関するものである。
【背景技術】
【０００２】
プラズマディスプレーパネル（ＰＤＰ）はＨｅ＋ＸｅまたはＮｅ＋Ｘｅの不活性の混合ガスの放電の際に発生する１４７ｎｍの紫外線により蛍光体を発光させることで文字またはグラフィックを含めた画像を表示する。このようなＰＤＰは薄型化と大型化が容易であるだけではなく、最近の技術開発によって大きく向上した画質を提供できるようになった。特に、３電極の交流面放電型ＰＤＰは放電の際に表面に壁電荷が蓄積され、放電により発生するスパタリングから電極を保護するようにしているために低電圧駆動と長寿命の長所を有する。
【０００３】
図１を参照すると、３電極の交流の面放電型のＰＤＰの放電セルは上部基板（１０）に形成された第１電極（Ｙ）及び第２電極（Ｚ）と、下部基板（１８）に形成されたアドレス電極（Ｘ）とを具備する。
【０００４】
第１電極（Ｙ）と第２電極（Ｚ）のそれぞれは透明電極（１２Ｙ、１２Ｚ）と、透明電極（１２Ｙ、１２Ｚ）の線幅より小さい線幅で透明電極の一方の縁に沿って形成される金属バス電極（１３Ｙ、１３Ｚ）を含む。
【０００５】
透明電極（１２Ｙ、１２Ｚ）は通常インジウムスズオキサイド（ＩＴＯ）で上部基板（１０）に形成される。金属バス電極（１３Ｙ、１３Ｚ）は通常クローム（Ｃｒ）などの金属で形成されている。抵抗の高い透明電極（１２Ｙ、１２Ｚ）による電圧降下を減少させるために透明電極（１２Ｙ、１２Ｚ）の上に形成されている。第１電極（Ｙ）と第２電極（Ｚ）が並んで形成された上部基板（１０）には上部誘電体層（１４）と保護膜（１６）が積層される。上部誘電体層（１４）にはプラズマ放電の際に発生された壁電荷が蓄積される。保護膜（１６）はプラズマ放電の際に発生されたスパタリングによる上部誘電体層（１４）の損傷を防止すると共に２次電子の放出効率を高めるためのものである。保護膜（１６）としては通常酸化マグネシウム（ＭｇＯ）が利用される。
【０００６】
アドレス電極（Ｘ）が形成された下部基板（１８）の面には下部誘電体層（２２）、隔壁（２４）が形成されて、下部誘電体層（２２）と隔壁（２４）表面には蛍光体層（２６）が塗布される。アドレス電極（Ｘ）は第１電極（Ｙ）及び第２電極（Ｚ）と直交する方向に形成される。隔壁（２４）はアドレス電極（Ｘ）と並んで形成されて放電により生成された紫外線及び可視光が隣接した放電セルにリークするのを防止する。蛍光体層（２６）はプラズマ放電の際に発生した紫外線により励起されて赤色、緑色または青色の中のいずれか一つの可視光線を発生する。上部基板（１０）／下部基板（１８）と隔壁（２４）の間に設けられた放電空間にはガス放電のための不活性ガスが注入される。
【０００７】
ＰＤＰは画像のグレースケールを実現するために、１フレームを発光回数が異なる様々なサブフィールドに分けて分割駆動する。各サブフィールドは、全画面を初期化させるための初期化期間と、走査ラインを選択して選択された走査ラインでセルを選択するためのアドレス期間と、放電回数によりグレースケールを具現するサステイン期間に分けられる。
【０００８】
初期化期間は上昇傾斜波形が供給されるセットアップ期間と下降傾斜波形が供給されるセットダウン期間に分けられる。例えば、２５６グレースケールで画像を表示しようとする場合に、図２のように1／６０秒に当たるフレーム期間（１６．６７ｍｓ）が８個のサブフィールド（ＳＦ１〜ＳＦ８）に分割される。８個のサブフィールド（ＳＦ１〜ＳＦ８）のそれぞれは前述したように、初期化期間、アドレス期間、サステイン期間に分けられる。各サブフィールドの初期化期間とアドレス期間は各サブフィールド毎に同一であるのに対して、サステイン期間は各サブフィールドが２ｎ（ｎ＝０、１、２、３、４、５、６、７）の比率で増加する。
【０００９】
図３は図１に図示された電極に供給される駆動波形を表す波形図である。
図３を参照すると、ＰＤＰは全画面を初期化させるための初期化期間、セルを選択するためのアドレス期間及び選択されたセルの放電を維持させるためのサステイン期間に分けて駆動される。
【００１０】
初期化期間におけるセットアップ期間に放電開始電圧より低い第１電圧（Ｖｓ）から放電開始電圧を超える第２電圧（Ｖｒ）まで緩やかに上昇する上昇傾斜波形を有する電圧(ramp-up)がすべての第１電極（Ｙ）に印加される。この上昇傾斜波形電圧(ramp-up)により全画面のセルの内には微弱なセットアップ放電が起き、セルの内に壁電荷が生成される。
【００１１】
セットアップ放電は第１電極（Ｙ）と第２電極（Ｚ）間で発生する面放電及び第１電極（Ｙ）とアドレス電極（Ｘ）の間で発生する対向放電に分けられる。ここで、面放電により第１電極（Ｙ）には負の壁電荷が形成されて、第２電極（Ｚ）には正の壁電荷が形成される。また、対向放電によって第１電極（Ｙ）には負の壁電荷が形成されて、アドレス電極（Ｘ）には正の壁電荷が形成される。このとき、面放電で放出される光は大部分観察者の方に進む。このために非表示期間である初期化期間に光の放出量が高くなり、これによりコントラストがその分低下する。
【００１２】
上昇傾斜波形(ramp-up)が供給された後のセットダウン期間に上昇傾斜波形(ramp-up)のピーク電圧（即ち、第２電圧（Ｖｒ））より低い第１電圧（Ｖｓ）から緩やかに下降する下降傾斜波形を有する電圧(ramp-down)が第１電極（Ｙ）に印加される。下降傾斜波形電圧(ramp-down)が第１電極（Ｙ）に印加されるとセルの内に微弱な消去放電が起きてセットアップ放電により生成された壁電荷及び空間電荷の中の不要電荷を消去させ、全画面のセルのアドレス放電に必要な壁電荷を均一に残留させる。
【００１３】
アドレス期間には負極性のスキャンパルス(scan)が第１電極（Ｙ）に順次印加されると同時に、アドレス電極（Ｘ）に正極性のデータパルス(data)が印加される。このスキャンパルス(scan)とデータパルス(data)の電圧差と初期化期間に生成された壁電荷が加えられて、データパルス(data)が印加されたセル内でアドレス放電が発生する。アドレス放電により選択されたセル内には壁電荷が生成される。
【００１４】
一方、セットダウン期間とアドレス期間に第２電極（Ｚ）にはサステイン電圧レベル（Ｖｓ）の正極性の直流電圧が供給される。
【００１５】
サステイン期間には第１電極（Ｙ）と第２電極（Ｚ）に交互にサステインパルス（sus）が印加される。アドレス放電により選択されたセル内の壁電圧とサステインパルス（sus）とによってサステインパルス（sus）が印加されるごとに第１電極（Ｙ）と第２電極（Ｚ）の間に面放電形態のサステイン放電が起きる。最後に、消去期間にはパルス幅が小さい消去傾斜波形電圧（erase）が第２電極（Ｚ）に供給されてサステイン放電を消去させる。
【００１６】
このような従来のＰＤＰはすべてのサブフィールドで初期化期間、アドレス期間、サステイン期間を繰り返して所定の画像を表示する。しかし、従来のＰＤＰは、初期化期間のセットアップ放電（特に、面放電）により生成された光によりコントラストが低下するという短所がある。すなわち、表示の輝度に寄与しないセットアップ放電により不必要な光が発生し、その光がＰＤＰのコントラストを低下させる。
【００１７】
実際に、５個のサブフィールドで駆動されるＰＤＰのフル・ホワイトはほぼ１５４ｃｄ／ｍ２の輝度を有する。この際に、リセット放電により発生される光はほぼ０．７５ｃｄ／ｍ２の輝度を有する。従って、５個のサブフィールドで駆動されるＰＤＰは１：２０５程度の低いコントラスト比となる。同じく、１０個のサブフィールドで駆動されるＰＤＰも１：３００程度の低いコントラスト比となる。
【発明の開示】
【発明が解決しようとする課題】
【００１８】
本発明の目的はコントラストを向上させることができるようにしたラズマディスプレーパネル及びその駆動方法を提供することにある。
【課題を解決するための手段】
【００１９】
前記目的を達成するために、本発明のラズマディスプレーパネルの駆動方法は多数のサブフィールドで１フレームを形成するプラズマディスプレーパネルの駆動方法であって、多数のサブフィールドの中の少なくとも一つ以上のサブフィールドの初期化期間に前記第１及び第２電極の中の少なくとも一つ以上の電極がフローティング状態を維持する段階を含む。
【００２０】
前記多数のサブフィールドの中の少なくとも一つ以上のサブフィールドの初期化期間に、前記第１電極にリセットパルスが供給される段階と、前記多数のサブフィールドの中の少なくとも一つ以上のサブフィールドの初期化期間に、前記第２電極をフローティング状態とする段階を含む。
【００２１】
前記サステイン期間に反復されたサステイン放電を消去するために前記第１電極及び第２電極の中の少なくとも一つ以上の電極に消去パルスが印加される段階を含む。
【００２２】
前記第１電極に供給されるリセットパルスは傾きを有して上昇する上昇期間、上昇された電圧を維持する維持期間及び傾きを有して下降する下降期間に分けられる。
【００２３】
第２電極が上昇期間のみフローティング状態にされる。
第２電極が上昇期間の一部期間にフローティング状態にされる。
第２電極が上昇期間及び維持期間にフローティング状態にされる。
第２電極が上昇期間及び維持期間の一部期間にフローティング状態にされる。
【００２４】
本発明のラズマディスプレーパネルの駆動方法は多数のサブフィールドで１フレームを形成するプラズマディスプレーパネルの駆動方法であって、少なくとも一つ以上のサブフィールドの初期化期間に第１電極に第１リセットパルスが供給される段階と、少なくとも一つ以上のサブフィールドの初期化期間に、第２電極に前記第１リセットパルスと同一の電圧値を有する第２リセットパルスが供給される段階とを含む。
【００２５】
サステイン期間に発生されたサステイン放電を消去するために第１電極及び第２電極の中の少なくとも一つ以上の電極に消去パルスに印加される段階をさらに含む。
【００２６】
第１電極に供給される第１リセットパルスは傾きを有して上昇する上昇期間、上昇された電圧を維持する維持期間及び傾きを有して下降する下降期間に分けられる。
第２リセットパルスが前記上昇期間にのみ供給される。
第２リセットパルスが前記上昇期間の一部の期間に供給される。
第２リセットパルスが前記上昇期間及び維持期間に供給される。
第２リセットパルスが前記上昇期間及び維持期間の一部の期間に供給される。
【００２７】
本発明のプラズマディスプレーパネルは少なくとも一つ以上のサブフィールドの初期化期間にリセットパルスを供給受ける第１電極と、少なくとも一つ以上のサブフィールドの初期化期間にフローティング状態にされる第２電極とを具備する。
【００２８】
前記第１電極に供給される第１リセットパルスは傾きを持って上昇する上昇期間、上昇された電圧を維持する維持期間及び傾きを有して下降する下降期間に分けられる。
【００２９】
前記第２電極は前記上昇期間にフローティング状態にされる。
前記第２電極は前記上昇期間の一部期間にフローティング状態にされてもよい。
前記第２電極は前記上昇期間及び維持期間にフローティング状態にされてもよい。
前記第２電極は前記上昇期間及び維持期間の一部期間にフローティング状態にされてもよい。
【００３０】
本発明のプラズマディスプレーパネルは少なくとも一つ以上のサブフィールドの初期化期間に第１リセットパルスを供給受ける第１電極と、少なくとも一つ以上のサブフィールドの初期化期間に第１リセットパルスと同一の電圧値を有する第２リセットパルスを供給受ける第２電極とを具備する。
【００３１】
第１電極に供給される第１リセットパルスは傾きを持って上昇する上昇期間、上昇された電圧を維持する維持期間及び傾きを有して下降する下降期間に分けられる。
【００３２】
前記第２電極は前記上昇期間にフローティング状態にされる。
前記第２電極は前記上昇期間の一部期間にフローティング状態にされてもよい。
前記第２電極は前記上昇期間及び維持期間にフローティング状態にされてもよい。
前記第２電極は前記上昇期間及び維持期間の一部期間にフローティング状態にされてもよい。
【００３３】
本発明によるプラズマディスプレーパネル及びその駆動方法はリセット期間で発生する光を最小化することができる。
【発明の効果】
【００３４】
上述したように、本発明によるプラズマディスプレーパネル及びその駆動方法によると、電極をフローティング状態にさせることで、リセット期間に放電させない期間を形成させているので、発生する光を最小化することができる。
以上説明した内容を通して当業者であれば本発明の技術思想を一脱しない範囲で多様な変更及び修正が可能であることが分かるであろう。従って、本発明の技術的な範囲は明細書の詳細な説明に記載された内容に限らず特許請求の範囲によって定めなければならない。  
【発明を実施するための最良の形態】
【００３５】
以下、図４〜図１１を参照して本発明の好ましい実施形態に対して説明する。
図４は本発明の第１実施形態によるプラズマディスプレーパネルの駆動方法を表す電圧波形図である。
図４を参照すると、本発明の第１実施形態によるＰＤＰは、全画面を初期化させる初期化期間、セルを選択するアドレス期間及び選択されたセルの放電を維持するサステイン期間に分けて駆動される。
【００３６】
先に第１サブフィールドを詳細に説明する。第１サブフィールドの初期化期間に第１電極（Ｙ）には初期化パルス（ＲＰ）が供給される。この初期化期間中のセットアップ期間には放電開始電圧より低い第１電圧（Ｖｓ）から放電開始電圧を超える第２電圧（Ｖｒ）まで緩やかに上昇する上昇傾斜波形電圧(ramp-up)がすべての第１電極（Ｙ）に印加される。この上昇傾斜波形電圧(ramp-up)により全画面のセルに微弱なセットアップ放電が起き、セル内に壁電荷が生成される。
【００３７】
セットアップ放電は第１電極（Ｙ）と第２電極（Ｚ）の間で発生する面放電及び第１電極（Ｙ）とアドレス電極（Ｘ）の間で発生する対向放電に分けられる。この面放電により第１電極（Ｙ）には負の壁電荷が形成され、第２電極（Ｚ）には正の壁電荷が形成される。
【００３８】
セットダウン期間には上昇傾斜波形電圧(ramp-up)が供給された後、上昇傾斜波形電圧(ramp-up)のピーク電圧（即ち、第２電圧（Ｖｒ））より低い第１電圧（Ｖｓ）から緩やかに下降する下降傾斜波形電圧(ramp-down)が第１電極（Ｙ）に印加される。下降傾斜波形電圧(ramp-down)が第１電極（Ｙ）に印加されるとセルに微弱な消去放電が起きて、セットアップ放電で生成された壁電荷及び空間電荷の中の不要電荷を消去させ、全画面のセルにアドレス放電に必要な壁電荷を均一に残留させる。
【００３９】
アドレス期間には負極性のスキャンパルス(scan)が第１電極（Ｙ）に順次印加されると同時に、アドレス電極（Ｘ）に正極性のデータパルス(data)が印加される。このスキャンパルス(scan)とデータパルス(data)の電圧差と初期化期間に生成された壁電荷とによって、データパルス(data)が印加されたセル内でアドレス放電が発生する。アドレス放電により選択されたセルには壁電荷が生成される。
【００４０】
一方、セットダウン期間とアドレス期間に第２電極（Ｚ）にはサステイン電圧レベル（Ｖｓ）の正極性の直流電圧が供給される。
【００４１】
サステイン期間には第１電極（Ｙ）と第２電極（Ｚ）に交互にサステインパルス（sus）が印加される。それにより、アドレス放電により選択されたセル内では壁電圧とサステインパルス（sus）とによってサステインパルス（sus）が印加されるたびに第１電極（Ｙ）と第２電極（Ｚ）の間に面放電形態のサステイン放電が起きる。最後に、消去期間にパルス幅が小さい消去傾斜波形電圧（erase）を第２電極（Ｚ）に供給してサステイン放電を消去させる。
【００４２】
本発明の第２サブフィールドの動作説明は、その初期化期間を第１サブフィールドでサステイン放電が起きた放電セルと、第１サブフィールドでサステイン放電が起きなかった放電セルとに分けて説明する。
【００４３】
先に、第１サブフィールドでサステイン放電が発生しなかった放電セル（第１サブフィールドで選択されなかったセル）では、第１サブフィールドのリセット放電により生成された壁電荷が蓄積されている。即ち、アドレス電極（Ｘ）と第２電極（Ｚ）には正の壁電荷が形成されていて、第１電極（Ｙ）には負の壁電荷が形成されている。
【００４４】
以後、第２サブフィールドの初期化期間に第１電極（Ｙ）に上昇傾斜波形電圧(ramp-up)及び下降傾斜波形電圧(ramp-down)が供給される。また、第２サブフィールドの初期化期間に第２電極（Ｚ）はフローティング状態を維持する。このように第２電極（Ｚ）がフローティング状態になると、第１電極（Ｙ）に印加される上昇傾斜波形電圧(ramp-up)及び下降傾斜波形電圧(ramp-down)と同一の形態を有するフローティング・パルス（ＦＰ）が第２電極（Ｚ）に誘導される。実際には、図６のように、第１電極（Ｙ）に３９０Ｖのピークレベルを有する上昇傾斜波形電圧(ramp-up)と下降傾斜波形電圧(ramp-down)が印加された際に、第２電極（Ｚ）には電極間の容量干渉などによりほぼ２９０Ｖの電圧レベルを有するフローティング・パルス（ＦＰ）が誘導される。
【００４５】
このように初期化期間に第２電極（Ｚ）に所定の電圧レベルを有するフローティング・パルス（ＦＰ）が誘導されると、第１電極（Ｙ）と第２電極（Ｚ）間に面放電が発生されない。即ち、第２電極（Ｚ）に正極性のフローティング・パルス（ＦＰ）が誘導されると、第１電極（Ｙ）と第２電極（Ｚ）の電圧差は放電開始電圧を越えないので、これにより第２サブフィールドの初期化期間に第１電極（Ｙ）と第２電極（Ｚ）間に面放電が発生しない。また、アドレス電極（Ｘ）は第１サブフィールドの初期化期間に形成された正の壁電荷を維持しているので、第１電極（Ｙ）とアドレス電極（Ｘ）間に対向放電が発生しない。即ち、第１電極（Ｙ）とアドレス電極（Ｘ）の電圧差は放電開始電圧を超えない。従って、本発明の第２サブフィールドの初期化期間に以前のサブフィールドでサステイン放電が起きなかった放電セルでは面放電及び対向放電が発生しない。
【００４６】
一方、第１サブフィールドでサステイン放電が起きた放電セルには、低い電圧レベルを有する壁電荷が形成されている。即ち、サステイン放電が起きた放電セルでは消去放電が起き、これにより壁電荷が再結合するのでサステイン放電が起きなかった放電セルより低い電圧レベルを有する壁電荷が形成されている。
【００４７】
その後の第２サブフィールドの初期化期間に第１電極（Ｙ）に上昇傾斜波形電圧(ramp-up)と下降傾斜波形電圧(ramp-down)が印加される。また、第２サブフィールドの初期化期間に第２電極（Ｚ）はフローティング状態を維持する。このように第２電極（Ｚ）がフローティング状態になると第１電極（Ｙ）に印加される上昇傾斜波形電圧(ramp-up)と下降傾斜波形電圧(ramp-down)と同一の形態を有するフローティング・パルス（ＦＰ）が第２電極（Ｚ）に誘導される。
【００４８】
このように初期化期間に第２電極（Ｚ）に所定の電圧レベルを有するフローティング・パルス（ＦＰ）が誘導されると、第１電極（Ｙ）及び第２電極（Ｚ）間に面放電が発生されない。即ち、第２電極（Ｚ）に正極性のフローティング・パルス（ＦＰ）が誘導されると、第１電極（Ｙ）と第２電極（Ｚ）の電圧差が放電開始電圧を越えず、したがって、第２サブフィールドの初期化期間に第１電極（Ｙ）と第２電極（Ｚ）間に面放電が発生しない。一方、第１サブフィールドの消去放電によりアドレス電極（Ｘ）には低い電圧レベルを有する壁電荷が形成されているために、第１電極（Ｙ）とアドレス電極（Ｘ）の電圧差は放電開始電圧を超えるようになり、これにより第１電極（Ｙ）とアドレス電極（Ｘ）間の対向放電が発生する。
【００４９】
一方、第１サブフィールドを除いた残りのサブフィールドでは第２サブフィールドの初期化期間と同一の初期化期間が適用される。すなわち、第２サブフィールド以後のサブフィールドは第２サブフィールドと同一の初期化期間を有する。従って、第２サブフィールド以後の初期化期間には以前のサブフィールドでサステイン放電が起きた放電セルで、第１電極（Ｙ）とアドレス電極（Ｘ）間の対向放電しか発生しない。対向放電の輝度は表１のように定められる。
【表１】
2008112205.tif 000003
（ここで、放電スタート電圧は特定の放電セルで面放電及び対向放電が開始する電圧、放電電圧はすべての放電セルで面放電及び対向放電が起きる電圧、消去スタート電圧は特定の放電セルで面放電及び対向放電が消去される電圧、消去電圧はすべての放電セルで面放電及び対向放電が消去される電圧である）
【００５０】
表１を参照すると、対向放電の放電スタート電圧及び放電電圧は面放電の放電スタート電圧及び放電電圧より低い。従って、第１電極（Ｙ）とアドレス電極（Ｘ）間の対向放電は所定以上の電圧差により容易に発生する。一方、対向放電は面放電の約４３％程度の輝度を有する。従って、初期化期間に面放電だけを起こす本発明では初期化期間で発生する光を最小化することができる。
【００５１】
実際に、５個のサブフィールドで駆動されるＰＤＰの初期化期間で発生する光は０．１ｃｄ／ｍ２の輝度を有する。５個のサブフィールドで駆動されるＰＤＰのフル・ホワイトの明るさが１５４ｃｄ／ｍ２であると、本発明の実施形態によるＰＤＰは１：１５４０程度の低いコントラスト比を有する。また、１０個のサブフィールドで駆動されるＰＤＰでは１：３０００程度の高いコントラスト比を
有する。
【００５２】
一方、本発明の第２サブフィールド期間に誘導されるフローティング・パルス（ＦＰ）は理想的には図４のように初期化パルス（ＲＰ）と同一の形態を有する。しかし、実際には第２サブフィールド期間に誘導されるフローティング・パルス（ＦＰ）は、放電セルのインピーダンス成分や外部の要因により図５のように下降期間で初期化パルス（ＲＰ）より緩やかに電圧が低くなる。
【００５３】
初期化期間に続くアドレス期間には負極性のスキャンパルス(scan)が第１電極（Ｙ）に順次印加されると同時に、アドレス電極（Ｘ）に正極性のデータパルス(data)が印加される。このスキャンパルス(scan)とデータパルス(data)の電圧差と初期化期間に生成された壁電荷によってデータパルス(data)が印加されるセル内にはアドレス放電が発生する。アドレス放電により選択されたセル内には壁電荷が生成される。
【００５４】
一方、セットダウン期間とアドレス期間に第２電極（Ｚ）にはサステイン電圧レベル（Ｖｓ）の正極性の直流電圧が供給される。
【００５５】
サステイン期間には第１電極（Ｙ）と第２電極（Ｚ）に交互にサステインパルス（sus）が印加される。それにより、アドレス放電により選択されたセルでは壁電圧とサステインパルス（sus）とによって、サステインパルス（sus）が印加されるごとに第１電極（Ｙ）と第２電極（Ｚ）の間に面放電形態のサステイン放電が起きる。最後に、消去期間にはパルス幅が小さい消去傾斜波形電圧（erase）が第２電極（Ｚ）に供給されてサステイン放電を消去させる。
【００５６】
図７は初期化期間で発生する光の波形電圧を表す電圧波形図である。
図７を参照すると、従来のＰＤＰ（ＰＤＰ１）は初期化パルス（ＲＰ）の上昇傾斜波形電圧(ramp-up)及び下降傾斜波形電圧(ramp-down)の供給期間すべてで所定の光の波形電圧が発生する。しかし、本発明のＰＤＰ（ＰＤＰ２）は初期化パルス（ＲＰ）の下降傾斜波形電圧(ramp-down)の供給期間では光の波形電圧が発生しない。従って、本発明では初期化期間に生成される光を最小化してコントラストを向上させることができる。
【００５７】
図８ａ〜図８ｃは本発明の実施形態による駆動波形電圧に動作するＰＤＰの信頼性を評価した電圧波形図である。
【００５８】
図８ａは以前のサブフィールドでサステイン放電が発生した放電セルが現在のサブフィールドのアドレス期間に選択されないときの動作過程を表す電圧波形図である。
【００５９】
図８ａを参照すると、以前のサブフィールドで所定の駆動波形電圧が供給された後、第１電極（Ｙ）に初期化パルス（ＲＰ）が印加される。このとき、第２電極（Ｚ）にはフローティング・パルス（ＦＰ）が誘導されて、これにより第１電極（Ｙ）とアドレス電極（Ｘ）間の対向放電により所定の光が発生する。
【００６０】
以後、アドレス期間にアドレス電極（Ｘ）にデータパルス(data)が供給されないので放電セルでアドレス放電が起きない。この事実によってアドレス期間に光が生成されない。即ち、本発明の実施形態による初期化期間では放電セルに適切な壁電荷を形成して、これによりアドレス期間で誤放電が起きない。
【００６１】
図８ｂは以前サブフィールドでサステイン放電が発生した放電セルが現在のサブフィールドのアドレス期間に選択されるときの動作過程を表す電圧波形図である。
【００６２】
図８ｂを参照すると、以前のサブフィールドでサステイン放電が発生した放電セルの第１電極（Ｙ）に初期化パルス（ＲＰ）が印加されると第２電極（Ｚ）にはフローティング・パルス（ＦＰ）が誘導される。この初期化期間に第１電極（Ｙ）とアドレス電極（Ｘ）間の対向放電が発生して、対向放電により所定の光が発生する。アドレス期間にアドレス電極（Ｘ）にはデータパルス(data)が供給されて第１電極（Ｙ）にはスキャンパルス(scan)が供給される。これにより、放電セルでアドレス放電が起きて放電セルに所定の壁電荷が形成する。この事実によりアドレス期間に光が生成することが分かるであろう。
【００６３】
図８ｃは以前のサブフィールドでサステイン放電が発生されない放電セルの動作過程を表す電圧波形図である。
【００６４】
図８ｃは以前のサブフィールドでサステイン放電が発生されない放電セルが現在のサブフィールドのアドレス期間に選択される際の動作過程を表す電圧波形図である。
【００６５】
図８ｃを参照すると、以前のサブフィールドでサステイン放電が発生しなかった放電セルの第１電極（Ｙ）に初期化パルス（ＲＰ）が印加されると、第２電極（Ｚ）にはフローティング・パルス（ＦＰ）が誘導される。このとき、放電セルでは対向放電及び面放電が発生しない。即ち、初期化期間に光が発生しない。このような事実によって初期化期間に光が発生しないことが分かるであろう。アドレス期間にアドレス電極（Ｘ）にはデータパルス(data)が供給されて第１電極（Ｙ）にはスキャンパルス(scan)が供給される。このとき、放電セルでアドレス放電が起きた放電セルに所定の壁電荷を形成する。このような事実はアドレス期間に光が生成されることが分かるであろう。
【００６６】
図９は本発明の第２実施形態によるプラズマディスプレーパネルの駆動方法を表す図面である。
【００６７】
図９を参照すると、本発明の第２実施形態によるＰＤＰの第１サブフィールド期間は本発明の第１実施形態や従来の駆動方法と同一である。従って、本発明の第２実施形態によるＰＤＰの第１サブフィールド期間の詳細な説明は省略する。
【００６８】
第２サブフィールドの初期化期間に第１電極（Ｙ）に上昇傾斜波形電圧(ramp-up)と下降傾斜波形電圧(ramp-down)を有する第１初期化パルス（ＲＰ１）が印加される。実際には、第１初期化パルス（ＲＰ１）は上昇期間、維持期間及び下降期間に分けられる。このときに、第２電極（Ｚ）にも上昇傾斜波形電圧(ramp-up)及び下降傾斜波形電圧(ramp-down)を有する第２初期化パルス（ＲＰ２）が第１初期化パルス（ＲＰ１）と同期されるように供給される。ここで、第２電極（Ｚ）に供給される第２リセットパルス（ＲＰ２）の電圧値は第１電極（Ｙ）及び第２電極（Ｚ）間の電流の流れが防止されるように第１リセットパルス（ＲＰ１）と同一に設定される。即ち、第１リセットパルス（ＲＰ１）及び第２リセットパルス（ＲＰ２）は同一の形態を有する。
【００６９】
このように初期化期間に第２電極（Ｚ）に第２リセットパルス（ＲＰ２）が印加されると第１電極（Ｙ）と第２電極（Ｚ）の間に面放電が発生しない。即ち、第２電極（Ｚ）に正極性の第２リセットパルス（ＲＰ２）が供給されると第１電
極（Ｙ）と第２電極（Ｚ）の電圧差は放電可能な電圧を超えず、第２サブフィールドの初期化期間に第１電極（Ｙ）と第２電極（Ｚ）間に面放電が発生しない。従って、本発明の第２実施形態によるＰＤＰではコントラストを向上させることができる。第２サブフィールドの初期化期間は第２サブフィールド以後のサブフィールドにも同一に適用される。
【００７０】
更に、本発明の第２実施形態では第２電極（Ｚ）に上昇傾斜波形電圧(ramp-up)だけを供給することができる。また、本発明では第１電極（Ｚ）に上昇傾斜波形電圧(ramp-up)が供給する際に一部の期間にだけ上昇傾斜波形電圧(ramp-up)を供給することもできる。更に、第２電極（Ｚ）に上昇傾斜波形電圧(ramp-up)及び上昇傾斜波形電圧(ramp-up)を維持している維持期間にだけ第２リセットパルス（ＲＰ２）を供給するようにすることもできる。
【００７１】
アドレス期間には負極性のスキャンパルス(scan)が第１電極（Ｙ）に順次印加されると同時に、アドレス電極（Ｘ）に正極性のデータパルス(data)が印加される。このスキャンパルス(scan)とデータパルス(data)の電圧差と初期化期間に生成された壁電荷とによって、データパルス(data)が印加されたセル内ではアドレス放電が発生する。アドレス放電により選択されたセル内には壁電荷が生成される。
【００７２】
一方、セットダウン期間とアドレス期間に第２電極（Ｚ）にサステイン電圧レベル（Ｖｓ）の正極性の直流電圧が供給される。
【００７３】
サステイン期間には第１電極（Ｙ）と第２電極（Ｚ）に交互にサステインパルス（sus）が印加される。アドレス放電により選択されたセル内では、壁電圧とサステインパルス（sus）によってサステインパルス（sus）が印加されるたびに第１電極（Ｙ）と第２電極（Ｚ）の間に面放電形態にサステイン放電が起きる。最後に、消去期間にはパルス幅が小さい消去傾斜波形電圧（erase）が第２電極（Ｚ）に供給されてサステイン放電を消去させる。
【００７４】
図１０は本発明の第３実施形態によるプラズマディスプレーパネルの駆動方法を表す電圧波形図である。
図１０を参照すると、本発明の第３実施形態によるＰＤＰの第１サブフィールド期間は本発明の第１実施形態及び従来の駆動方法と同一である。従って、本発明の第３実施形態によるＰＤＰの第１サブフィールド期間の詳細な説明は省略する。
【００７５】
第２サブフィールドの初期化期間中のセットアップ期間に第１電極（Ｙ）には上昇傾斜波形電圧(ramp-up)が供給される。また、第２サブフィールドの初期化期間の中のセットダウン期間に第１電極（Ｙ）には下降傾斜波形電圧(ramp-down)が供給される。一方、第２サブフィールドの初期化期間中のセットアップ期間に第２電極（Ｚ）はフローティングされてもよい。ここで、セットアップ期間は上昇傾きで上昇した電圧を維持する維持期間を含む。また、第２サブフィールドの初期化期間のセットダウンの期間に第２電極（Ｚ）はフローティング状態にされない。
【００７６】
第２電極（Ｚ）がセットアップ期間にフローティング状態になっていれば、第２電極（Ｚ）にフローティング・パルス（ＦＰ）が誘導される。このようなフローティング・パルス（ＦＰ）はセットアップ期間に所定の傾きで上昇して、セットダウンの期間に上昇した電圧が維持される。このように初期化期間は、セットアップ期間に第２電極（Ｚ）がフローティング状態になると、第１電極（Ｙ）及び第２電極（Ｚ）間に面放電が発生しない。即ち、第２電極（Ｚ）に正極性のフローティング・パルス（ＦＰ）が誘導されると第１電極（Ｙ）と第２電極（Ｚ）の電圧差は放電開始電圧を超えず、これにより第２サブフィールドの初期化期間に第１電極（Ｙ）及び第２電極（Ｚ）間に面放電が発生しない。従って、本発明の第３実施形態によるＰＤＰではコントラストを向上させることができる。一方、第２サブフィールドの初期化期間は第２サブフィールド以後のサブフィールドにも同一に適用される。一方、第２電極は上昇傾きを有して上昇する期間にだけフローティング状態にされてもよい。すなわち、上昇傾きを有して上昇された電圧を維持する維持期間には第２電極がフローティング状態にされなくてもよい。
【００７７】
アドレス期間には負極性のスキャンパルス(scan)が第１電極（Ｙ）に順次印加されると同時に、アドレス電極（Ｘ）に正極性のデータパルス(data)が印加される。このスキャンパルス(scan)とデータパルス(data)の電圧差と初期化期間に生成された壁電荷によって、データパルス(data)が印加されたセルではアドレス放電が発生する。アドレス放電により選択されたセル内には壁電荷が生成される。
【００７８】
一方、セットダウン期間とアドレス期間に第２電極（Ｚ）にはサステイン電圧レベル（Ｖｓ）の正極性の直流電圧が供給される。
【００７９】
サステイン期間には第１電極（Ｙ）と第２電極（Ｚ）に交互にサステインパルス（sus）が印加される。そうすると、アドレス放電により選択されたセル内の壁電圧とサステインパルス（sus）とによってサステインパルス（sus）が印加されるたびに第１電極（Ｙ）と第２電極（Ｚ）の間に面放電形態にサステイン放電が起きる。最後に、消去期間にはパルス幅が小さい消去傾斜波形電圧（erase）が第２電極（Ｚ）に供給されてサステイン放電を消去させる。
【００８０】
図１１は本発明の第４実施形態によるプラズマディスプレーパネルの駆動方法を表す図面である。
【００８１】
図１１を参照すると、本発明の第４実施形態によるＰＤＰの第１サブフィールド期間は本発明の第１実施形態及び従来の駆動方法と同一である。従って、本発明の第４実施形態によるＰＤＰの第１サブフィールド期間の詳細な説明は省略する。
【００８２】
第２サブフィールドの初期化期間の中のセットアップ期間に第１電極（Ｙ）には上昇傾斜波形電圧(ramp-up)が供給される。また、第２サブフィールドの初期化期間のセットダウン期間に第１電極（Ｙ）には下降傾斜波形電圧(ramp-down)が供給される。第２サブフィールドの初期化期間のセットアップ期間に第２電極（Ｚ）はフローティング状態にされて、それ以外の期間にはフローティング状態にされない。
【００８３】
ここで、第２電極（Ｚ）がセットアップ期間にフローティング状態になると、第２電極（Ｚ）にフローティング・パルス（ＦＰ）が誘導される。実際に、第２電極（Ｚ）はセットアップ期間の前半部、中半部及び後半部（上昇される期間及び維持する期間）のいずれか一つの期間に、フローティング状態にされてもよい。一方、第２電極（Ｚ）がフローティング状態になると、第２電極（Ｚ）には所定の傾きを有して上昇する上昇電圧が誘導される。また、第２電極（Ｚ）がフローティング状態にされないときには第２電極（Ｚ）は上昇された電圧を維持する。このようにセットアップ期間の一部期間に第２電極（Ｚ）がフローティング状態になると第１電極（Ｙ）及び第２電極（Ｚ）間に面放電が発生しない。即ち、第２電極（Ｚ）に正極性のフローティング・パルス（ＦＰ）が誘導されると、第１電極（Ｙ）と第２電極（Ｚ）の電圧差は放電開始電圧を超えず、これにより第２サブフィールドの初期化期間に第１電極（Ｙ）と第２電極（Ｚ）の間に面放電が発生しない。従って、本発明の第４実施形態によるＰＤＰではコントラストを向上させることができる。一方、第２サブフィールドの初期化期間は第２サブフィールド以後のサブフィールドにも同一に適用される。
【００８４】
アドレス期間には負極性のスキャンパルス(scan)が第１電極（Ｙ）に順次印加されると同時に、アドレス電極（Ｘ）に正極性のデータパルス(data)が印加される。このスキャンパルス(scan)とデータパルス(data)の電圧差と初期化期間に生成された壁電荷とによってデータパルス(data)が印加されたセル内にはアドレス放電が発生する。アドレス放電により選択されたセル内に壁電荷が生成される。
【００８５】
一方、セットダウン期間とアドレス期間に第２電極（Ｚ）にはサステイン電圧レベル（Ｖｓ）の正極性の直流電圧が供給される。
【００８６】
サステイン期間には第１電極（Ｙ）と第２電極（Ｚ）に交互にサステインパルス（sus）が印加される。そうすると、アドレス放電により選択されたセル内の壁電圧とサステインパルス（sus）とによって、サステインパルス（sus）が印加されるごとに第１電極（Ｙ）と第２電極（Ｚ）の間に面放電形態にサステイン放電が起きる。最後に、消去期間にはパルス幅が小さい消去傾斜波形電圧（erase）が第２電極（Ｚ）に供給されてサステイン放電を消去させる。
【図面の簡単な説明】
【００８７】
【図１】従来の３電極の交流の面放電型のプラズマディスプレーパネルの放電セル構造を表す写視図である。
【図２】一般的な交流の面放電型のプラズマディスプレーパネルの一フレームを表す図面である。
【図３】図１に図示されたプラズマディスプレーパネルに供給される駆動波形電圧を表す電圧波形図である。
【図４】本発明の第１実施形態によるプラズマディスプレーパネルの駆動方法を表す電圧波形図である。
【図５】図４のプラズマディスプレーパネルでの駆動方法で放電セルのインピーダンス及び外部要因により実際的に誘導されるフローティング・パルスを表す図面である。
【図６】第１電極に供給される初期化パルスにより第２電極に誘導されるフローティング・パルスを表す電圧波形図である。
【図７】初期化期間で発生する光の波形電圧を表す図面である。
【図８ａ】は以前のサブフィールドでサステイン放電が発生した放電セルが現在のサブフィールドのアドレス期間に選択されない際の動作過程を表す電圧波形図である。
【図８ｂ】以前のサブフィールドでサステイン放電が発生した放電セルが現在のサブフィールドのアドレス期間に選択される際の動作過程を表す電圧波形図である。
【図８ｃ】以前のサブフィールドでサステイン放電が発生しない放電セルの動作過程を表す電圧波形図である。
【図９】本発明の第２実施形態によるプラズマディスプレーパネルの駆動方法を表す電圧波形図である。
【図１０】本発明の第３実施形態によるプラズマディスプレーパネルの駆動方法を表す電圧波形図である。
【図１１】本発明の第４実施形態によるプラズマディスプレーパネルの駆動方法を表す電圧波形図である。
【符号の説明】
【００８８】
１０，１８…上部基板、１２Ｙ，１２Ｚ…透明電極、１３Ｙ，１３Ｚ…金属バス電極、１４…上部誘電体層、１６…保護膜、１８…下部基板、２２…下部誘電体層、２４…隔壁、２６…蛍光体、Ｙ…第１電極、Ｚ…第２電極、Ｘ…アドレス電極、ＲＰ…初期化パルス、ＦＰ…フローティング・パルス、Ｖｓ…第１電圧、Ｖｒ…第２電圧、scan…スキャンパルス、data…データパルス、sus…サステインパルス、erase…消去傾斜波形電圧、Ramp-up…上昇傾斜波形電圧、Ramp-down…下降傾斜波形電圧。
【図１】
2008112205.tif 000004
【図２】
2008112205.tif 000005
【図３】
2008112205.tif 000006
【図４】
2008112205.tif 000007
【図５】
2008112205.tif 000008
【図６】
2008112205.tif 000009
【図７】
2008112205.tif 000010
【図８ａ】
2008112205.tif 000011
【図８ｂ】
2008112205.tif 000012
【図８ｃ】
2008112205.tif 000013
【図９】
2008112205.tif 000014
【図１０】
2008112205.tif 000015
【図１１】
2008112205.tif 000016